(57)【要約】【課題】代金前払い方式による携帯無線電話機の利用時間を一括販売する統括者に課金ＩＤ毎に管理する課金管理支援システムを提供することを目的とする。【解決手段】統括者端末装置からの販売時間の入力を受け付けて、その販売時間を統括者管理情報の合計販売時間と合計利用残時間とに加算して更新する一括販売手段と、統括者端末装置からの割当時間の入力を受け付けて、その割当時間を統括者管理情報の割当残時間から減算して更新し、割当時間を利用者管理情報の割当時間と利用残時間とに加算して更新する割当手段と、携帯無線電話機からの課金ＩＤの入力を受け付けて、その課金ＩＤの携帯無線電話機の利用開始日時を起点とした利用時間を所定の経過時間毎に計測し、利用者管理情報の利用残時間より計測した利用時間を減算して、利用残時間がゼロに達した際に、携帯無線電話機の利用を中断する監視手段とを備えていることを特徴とする。【選択図】図１
2005064754.tif 000002
【特許請求の範囲】
【請求項１】
海外交換機、キャリアを介したコールバック方式の低料金通話システムを利用できる携帯無線電話機の利用料金を代金前払い方式にて販売する事業者が、複数の携帯無線電話機間で共通に利用可能な時間をその利用者の統括者側に一括販売すると共に、前記統括者側に対して、その利用者に割り当てた前記利用可能時間の課金管理を支援するシステムであって、
携帯無線電話機は、前記コールバック方式の低料金通話システムによる通話を可能にする情報を記録した着脱自在な記録媒体を有し、前記記録媒体には前記課金管理を行う課金管理装置と接続する為の装置アドレスと、前記利用可能時間に対して課金する為の課金ＩＤとを含む課金識別情報とが更に記録され、
前記課金管理装置は、前記携帯無線電話機と、前記統括者側が備える統括者端末装置とに、通信ネットワークを介して接続され、
前記記録媒体は、その課金ＩＤに、前記統括者側を識別する為の統括者ＩＤを含み、
又、前記課金管理装置は、前記統括者ＩＤ毎に前記事業者が前記統括者側に販売した合計販売時間と、前記統括者側がその利用者に割り当てた合計割当時間と、前記合計販売時間から前記合計割当時間を減算した割当残時間と、前記利用者が利用した合計利用時間と、前記合計割当時間から前記合計利用時間を減算した合計利用残時間とを含む統括者管理情報と、
前記課金ＩＤ毎に前記統括者側がその利用者に割り当てた割当時間と、前記利用者が利用した利用時間と、前記割当時間から前記利用時間を減算した利用残時間とを含む利用者管理情報とを少なくとも登録するデータベースと、
前記統括者端末装置からの一括販売要求信号に応答して、前記統括者ＩＤの入力を受け付け、入力を受け付けた前記統括者ＩＤより前記データベースを検索し、該当する前記統括者管理情報をその統括者端末装置に表示し、販売時間の入力を受け付けて、入力を受け付けた前記販売時間を前記統括者管理情報の前記合計販売時間と前記合計利用残時間とに加算して更新する一括販売手段と、
前記統括者端末装置からの割当要求信号に応答して、前記統括者ＩＤの入力を受け付け、入力を受け付けた前記統括者ＩＤより前記データベースを検索し、該当する前記統括者管理情報と前記利用者管理情報とをその統括者端末装置に表示し、前記課金ＩＤ毎に前記携帯無線電話機の割当時間の入力を、前記割当残時間の範囲内で受け付けて、入力を受け付けた前記割当時間を前記統括者管理情報の前記割当残時間から減算して更新し、又、入力を受け付けた前記割当時間を前記利用者管理情報の前記割当時間と前記利用残時間とに加算して更新する割当手段と、
前記携帯無線電話機からの利用開始要求信号に応答して、前記記録媒体より前記課金ＩＤの入力を受け付け、入力を受け付けた前記課金ＩＤより前記データベースを検索し、該当する前記統括者管理情報と前記利用者管理情報とを取得し、前記携帯無線電話機の利用開始日時を起点とした利用時間を所定の経過時間毎に計測して、前記統括者管理情報の前記合計利用時間と前記利用者管理情報の前記利用時間とに計測した前記利用時間をそれぞれ加算して更新し、又、前記統括者管理情報の前記合計利用残時間と前記利用者管理情報の前記利用残時間より計測した前記利用時間をそれぞれ減算して更新すると共に、更新した前記合計利用残時間と前記利用残時間とを監視して、前記利用残時間がゼロに達した際に、前記携帯無線電話機の利用を中断する監視手段とを備えていることを特徴とする、携帯無線電話機に於ける課金管理支援システム。
【請求項２】
前記課金管理装置は、前記統括者端末装置からの小売販売要求信号に応答し、前記課金ＩＤとの入力を受け付けて、入力を受け付けた前記課金ＩＤより前記データベースを検索し、該当する前記統括者管理情報と前記利用者管理情報とをその統括者端末装置に表示し、入力を受け付けた前記課金ＩＤに対する前記携帯無線電話機の小売販売時間の入力を、前記割当残時間の範囲内で受け付けて、入力を受け付けた前記小売販売時間を前記統括者管理情報の前記割当残時間から減算して更新し、又、入力を受け付けた前記小売販売時間を前記利用者管理情報の前記割当時間と前記利用残時間とに加算して更新する小売販売手段を更に備えていることを特徴とする、請求項１に記載の携帯無線電話機に於ける課金管理支援システム。
【請求項３】
前記課金管理装置は、前記携帯無線電話機からの追加小売販売要求信号に応答し、前記課金ＩＤの入力を受け付けて、入力を受け付けた前記課金ＩＤより前記データベースを検索し、該当する前記統括者管理情報と前記利用者管理情報とをその携帯無線電話機に表示し、入力を受け付けた前記課金ＩＤに属する前記携帯無線電話機の追加小売販売時間の入力を、前記割当残時間の範囲内で受け付けて、入力を受け付けた前記追加小売販売時間を前記統括者管理情報の前記割当残時間から減算して更新し、又、入力を受け付けた前記追加小売販売時間を前記利用者管理情報の前記割当時間と前記利用残時間とに加算して更新する追加小売販売手段を更に備えていることを特徴とする、請求項２に記載の携帯無線電話機に於ける課金管理支援システム。
【発明の詳細な説明】
【技術分野】
【０００１】
本発明は、海外（例えばＵＳＡ）の交換機、キャリアを介して国内キャリアと接続するコールバック方式の低料金通話システムを利用した携帯無線電話機の通話料金を代金前払い方式にて販売する事業者が、複数の携帯無線電話機間で共通に利用可能な時間をその利用者の統括者（ＡＳＰ：Ａｐｐｌｉｃａｔｉｏｎ  Ｓｅｒｖｉｃｅ  Ｐｒｏｖｉｄｅｒ）側に一括販売すると共に、ＡＳＰ事業として一般客への前払い方式の販売・課金業務を展開する統括者側に対して、その利用者に割り当てた利用可能時間の課金管理を支援するシステムを構築するビジネスモデルに関するものである。
【背景技術】
【０００２】
携帯無線電話機の利用料金を、代金前払い方式にて行う課金管理システムとして、課金管理サーバーに接続する為のサーバーのアドレスと利用者毎に賦与された課金ＩＤ、番号とが記録されたカードやＲＯＭチップ等の記録媒体を利用者に提供し、利用者がその記録媒体を携帯無線電話機に装着して利用することによって、課金ＩＤ毎の利用時間を課金管理サーバーにて一括管理するシステムが提供されている。
【０００３】
しかしながら、このような利用者とその課金ＩＤとが一対一に対応付けられた代金前払い方式による課金管理システムに於いては、その課金ＩＤ毎の利用時間を残したまま、利用を長期間に亘って中断している利用者が多く、特に、複数の課金ＩＤを利用する企業等に於いては、利用時間の有効利用が図れず、又、利用時間を販売する事業者側にとっても、利用時間が残っている以上は、その利用時間の管理が必要であり、双方にとって、運用面や管理面に於ける問題が発生している。
【０００４】
又、代金前払い方式による携帯無線電話機の課金管理システムの事例としては、例えば、特開平８−１９１３６０号に開示されている「無線電話端末の前払い課金方式」が示すように、無線電話端末に装着されたメモリカードによりサービス度数を管理しており、特開平７−５８８８３号に開示されている「プリペイド型携帯電話システム」に於いては、携帯電話機に脱着可能な記録媒体が残度数記憶手段を備えたものであり、いずれも、エンドユーザーである利用者毎にその残度数を管理することを目的としており、
携帯無線電話機の利用料金を代金前払い方式にて販売する事業者が、複数の携帯無線電話機間で共通に利用可能な時間をその利用者の統括者側に一括販売すると共に、統括者側に対して、その利用者に割り当てた利用可能時間の課金管理を支援するシステムは提供していない。
【特許文献１】特開平８−１９１３６０号公報（第１頁）
【特許文献２】特開平７−５８８８３号公報（第１頁）
【発明の開示】
【発明が解決しようとする課題】
【０００５】
以上のような問題を解決する為に本発明では、携帯無線電話機の利用時間を代金前払い方式にて販売する事業者側が、その利用者毎（課金ＩＤ毎）の利用時間を直接に管理するのではなく、前記事業者側が販売した利用時間の統括者（ＡＳＰ）側に対して、その課金ＩＤ毎の利用時間を管理する為の課金管理支援システムを提供することを目的とする。
【課題を解決するための手段】
【０００６】
上記目的を達成する為、請求項１に記載の発明は、海外交換機、キャリアを介したコールバック方式の低料金通話システムを利用できる携帯無線電話機の利用料金を代金前払い方式にて販売する事業者が、複数の携帯無線電話機間で共通に利用可能な時間をその利用者の統括者側に一括販売すると共に、前記統括者側に対して、その利用者に割り当てた前記利用可能時間の課金管理を支援するシステムであって、
前記携帯無線電話機は、前記コールバック方式の低料金通話システムによる通話を可能にする情報を記録した着脱自在な記録媒体を有し、前記記録媒体には前記課金管理を行う課金管理装置と接続する為の装置アドレスと、前記利用可能時間に対して課金する為の課金ＩＤとを含む課金識別情報とが更に記録され、
前記課金管理装置が、前記携帯無線電話機と、前記統括者側が備える統括者端末装置とに、通信ネットワークを介して接続され、
前記記録媒体が、その課金ＩＤに、前記統括者側を識別する為の統括者ＩＤを含み、
又、前記課金管理装置が、前記統括者ＩＤ毎に前記事業者が前記統括者側に販売した合計販売時間と、前記統括者側がその利用者に割り当てた合計割当時間と、前記合計販売時間から前記合計割当時間を減算した割当残時間と、前記利用者が利用した合計利用時間と、前記合計割当時間から前記合計利用時間を減算した合計利用残時間とを含む統括者管理情報と、
前記課金ＩＤ毎に前記統括者側がその利用者に割り当てた割当時間と、前記利用者が利用した利用時間と、前記割当時間から前記利用時間を減算した利用残時間とを含む利用者管理情報とを少なくとも登録するデータベースと、
前記統括者端末装置からの一括販売要求信号に応答し、前記統括者ＩＤの入力を受け付けて、入力を受け付けた前記統括者ＩＤより前記データベースを検索し、該当する前記統括者管理情報をその統括者端末装置に表示し、販売時間の入力を受け付けて、入力を受け付けた前記販売時間を前記統括者管理情報の前記合計販売時間と前記合計利用残時間とに加算して更新する一括販売手段と、
前記統括者端末装置からの割当要求信号に応答し、前記統括者ＩＤの入力を受け付けて、入力を受け付けた前記統括者ＩＤより前記データベースを検索し、該当する前記統括者管理情報と前記利用者管理情報とをその統括者端末装置に表示し、前記課金ＩＤ毎に前記携帯無線電話機の割当時間の入力を、前記割当残時間の範囲内で受け付けて、入力を受け付けた前記割当時間を前記統括者管理情報の前記割当残時間から減算して更新し、又、入力を受け付けた前記割当時間を前記利用者管理情報の前記割当時間と前記利用残時間とに加算して更新する割当手段と、
前記携帯無線電話機からの利用開始要求信号に応答し、前記記録媒体より前記課金ＩＤの入力を受け付けて、入力を受け付けた前記課金ＩＤより前記データベースを検索し、該当する前記統括者管理情報と前記利用者管理情報とを取得し、前記携帯無線電話機の利用開始日時を起点とした利用時間を所定の経過時間毎に計測して、前記統括者管理情報の前記合計利用時間と前記利用者管理情報の前記利用時間とに計測した前記利用時間をそれぞれ加算して更新し、又、前記統括者管理情報の前記合計利用残時間と前記利用者管理情報の前記利用残時間より計測した前記利用時間をそれぞれ減算して更新すると共に、更新した前記合計利用残時間と前記利用残時間とを監視して、前記利用残時間がゼロに達した際に、前記携帯無線電話機の利用を中断する監視手段と、を備えていることを特徴とする。
【０００７】
この請求項１に記載の発明によれば、利用時間を販売する事業者側は、複数の携帯無線電話機間で共通に利用可能な時間をその統括者側に一括委託することによって、従来、事業者側が行っていた利用者毎（課金ＩＤ毎）の利用時間の管理から開放され、
又、事業者側から利用者毎（課金ＩＤ毎）の利用時間の課金管理をその統括者側に移管するにあたり、統括者側に対して、その課金管理を行う為の割当手段や監視手段とこれらの手段が使用するデータベースを提供している。このことにより、統括者側は、利用者毎にその利用内容に応じた利用時間の割当を事業者に一任でき効率的な販売管理が可能になる。又、その割当変更に対しても柔軟に対応することができる。
又、携帯無線電話機とその課金ＩＤとを分離して、複数の携帯無線電話機間で共通に利用可能な時間とすることによって、統括者側は、複数の利用者が残した利用残時間を有効に活用することができる。
【０００８】
請求項２に記載の発明は、前記課金管理装置が、前記統括者端末装置からの小売販売要求信号に応答し、前記課金ＩＤとの入力を受け付けて、入力を受け付けた前記課金ＩＤより前記データベースを検索し、該当する前記統括者管理情報と前記利用者管理情報とをその統括者端末装置に表示し、入力を受け付けた前記課金ＩＤに対する前記携帯無線電話機の小売販売時間の入力を、前記割当残時間の範囲内で受け付けて、入力を受け付けた前記小売販売時間を前記統括者管理情報の前記割当残時間から減算して更新し、又、入力を受け付けた前記小売販売時間を前記利用者管理情報の前記割当時間と前記利用残時間とに加算して更新する小売販売手段を更に備えていることを特徴とする。
【０００９】
この請求項２に記載の発明によれば、利用時間を販売する事業者側から購入したその利用時間を販売する店舗は、その利用者毎（課金ＩＤ毎）に販売した販売時間について、その利用可能な残時間を管理することができる。
【００１０】
請求項３に記載の発明は、前記課金管理装置が、前記携帯無線電話機からの追加小売販売要求信号に応答し、前記課金ＩＤの入力を受け付けて、入力を受け付けた前記課金ＩＤより前記データベースを検索し、該当する前記統括者管理情報と前記利用者管理情報とをその携帯無線電話機に表示し、入力を受け付けた前記課金ＩＤに属する前記携帯無線電話機の追加小売販売時間の入力を、前記割当残時間の範囲内で受け付けて、入力を受け付けた前記追加小売販売時間を前記統括者管理情報の前記割当残時間から減算して更新し、又、入力を受け付けた前記追加小売販売時間を前記利用者管理情報の前記割当時間と前記利用残時間とに加算して更新する追加小売販売手段を更に備えていることを特徴とする。
【００１１】
この請求項３に記載の発明によれば、利用者は、携帯無線電話機より容易にその課金ＩＤに属する利用可能時間を追加購入することができる。
【発明の効果】
【００１２】
以上説明したように、本発明の携帯無線電話機に於ける課金管理支援システムによれば、携帯無線電話機の利用時間を代金前払い方式にて販売する事業者側は、複数の携帯無線電話機間で共通に利用可能な時間（分単位）を利用者ではなく、その統括者側に一括委託することによって、事業者側の課金管理作業を軽減し合理的、効率的なプリペイドシステムを構築できる効果がある。
【発明を実施するための最良の形態】
【００１３】
携帯無線電話機の利用時間を代金前払い方式にて販売する事業者側が、その利用者毎（課金ＩＤ毎）の利用時間を直接に管理するのではなく、前記事業者側が販売した利用時間の統括者（ＡＳＰ）側に対して、その課金ＩＤ毎の利用時間を管理する為の課金管理支援システムを提供する目的を、携帯電話機のアクセス先の電話管理サイトと、インターネット網を通じて接続される海外（ＵＳＡ等）交換機と課金管理装置とからなる構成によって実現した。
【実施例１】
【００１４】
以下、本発明の一実施の形態を図に基づいて詳細に説明する。
図１は本発明の携帯無線電話機に於ける課金管理支援システムのシステム構成を示す図である。
図２は図１に示す課金管理装置の詳細を示す図である。
【００１５】
図１において、ここで利用される低通話料金システムでは、インターネット接続機能を持った携帯電話機１は、電話管理サイト６へ登録を行い、ＩＤ番号（プリペイドの電話番号も含む）を取得して、アクセス先の電話管理サイト６のアクセス番号と、電話帳に登録した相手先（要求先）電話番号リストと通信ソフトが記録された記録媒体である着脱可能なＲＯＭチップを装着して、モバイル画面５に電話帳を表示させ、電話管理サイト６と接続状態（１）で、登録済みの電話したい相手名をクリックして電話を切る（２）。電話管理サイト６はクリック相手名が登録済み電話番号であるか確認して、インターネット網４あるいは国際専用回線を通じて、海外（ＵＳＡ等）交換機７へ接続して、海外から携帯電話機１をコールバック（３）して、携帯電話機１を呼出し、掛けた相手の要求先８へ接続する（４）ものである。これによって、ちなみに通話料は、携帯電話機→携帯電話機で、３５円／分程度と大幅に低減できる。
なお、国際フリーダイヤル（ＩＴＦＳ）などのフリーダイヤル・コールの場合は、図１で下側に示すように、相手の要求元電話番号をダイレクトにコールして、同様に海外交換機７を介して接続される。
【００１６】
本発明は、こうしたコールバック方式の低料金通話システムを利用して、携帯電話機の通話料の低廉化を図り、各統括者（ＡＳＰとしての販売店、コンビニ、販売会社等）ＡＳＰ２、２′、２″が、事業者１０から買い取ってユーザー（携帯電話機１の所有者）にプリペイドカードの形態で販売し、課金・徴収業務を展開する、度数を時間の分単位に変換した通話料金ビジネスを、事業者１０は一般ユーザーへのプリペイドカードの販売業務には一切関わらず、管理センターとして各利用者１および各統括者２毎に分単位の利用状態の集計システムと、その課金支援システムにより、各ＡＳＰ２の販売業務を管理・支援する形態で収益を上げるものである。課金管理装置１０はコールバックシステムと電話管理サイト、ルータ等により接続して通話情報を入力し、各ＡＳＰ２、２′、２″とはインターネット網４を介して接続している。
【００１７】
次に、図２により、課金管理支援センターの課金管理装置１０の詳細について説明する。
課金管理装置１０はインターネット網４等のネットワークを介して、金融機関が備える金融コンピュータ３と、携帯無線電話機１と統括者２、２′、２″・・・等に接続され、携帯無線電話機１に装着されるＲＯＭチップには、更に、課金管理を行う課金管理装置１０と接続する為の装置アドレスと、利用可能時間（割当時間）に対して課金する為の課金ＩＤとを含む課金識別情報が記録されるようになっている。
【００１８】
この課金管理装置１０は、利用料金の代金前払い方式による課金管理を行う為に必要な情報を登録するデータベース２０と、携帯無線電話機１と統括者端末装置２からの検索要求を受信して、データベース２０の検索結果を、インターネット網４を介して送信するＷｅｂサーバー１１と、データベース２０を管理するデータベースサーバー１２と、利用料金の代金前払い方式による課金管理の業務処理を行うアプリケーションサーバー１３とから構成される。
データベース２０は、統括者管理テーブル２１、利用者管理テーブル２２、振替依頼テーブル２３から構成される。
【００１９】
統括者管理テーブル２１は、代金前払い方式による携帯無線電話機１間で共通に利用可能な時間を管理する企業や携帯無線電話機１の利用可能時間を販売する店舗等の統括者側の登録情報とその利用可能時間の課金に関するの管理情報とを記録するものである。
統括者管理情報には、検索キー部である統括者ＩＤと、ユーザーＩＤとパスワードとからなる検索キー部と、データ部に属する企業名、担当者名、住所、電話番号、メールアドレス、企業の取引口座である銀行名・銀行支店名・預金種類・口座番号・口座名義人、合計販売時間、合計割当時間、割当残時間、合計利用時間、合計利用残時間、登録年月日等の情報を格納する。
取引口座に関する情報は、統括者２側に販売した利用可能時間の販売金額の引き落としを行う為に、その統括者２側が開設した取引口座に関する情報等が設定される。
合計販売時間は、事業者１０が統括者２側に委託した利用可能時間の合計時間である。
合計割当時間は、統括者２側が募集・販売した、その複数の利用者１に割り当てた利用可能時間の合計時間である。
割当残時間は、統括者２側がその複数の利用者１に割り当てていない利用可能時間の合計時間である。（合計販売時間から合計割当時間を減算した時間）
合計利用時間は、統括者２側がその複数の利用者１に割り当てた利用可能時間の内、利用者１が利用した合計時間である。
合計利用残時間は、統括者２側がその複数の利用者１に割り当てた利用可能時間の内、利用者１が利用していない合計時間である。（合計割当時間から前記合計利用時間を減算した時間）
【００２０】
利用者管理テーブル２２は、代金前払い方式による携帯無線電話機を利用する利用者１側の登録情報とその利用可能時間の課金に関するの管理情報とを記録するものである。
利用者管理情報には、検索キー部である課金ＩＤと、ユーザーＩＤとパスワードとからなる検索キー部と、データ部に属する所属部署名、利用者名、住所、電話番号、メールアドレス、利用者側の取引口座である銀行名・銀行支店名・預金種類・口座番号・口座名義人、割当時間、利用時間、利用残時間、登録年月日等の情報を格納する。
課金ＩＤの上位桁位置には、統括者ＩＤが設定されている。
ユーザーＩＤとパスワードは、統括者２が携帯無線電話機１の利用可能時間をプリペイドカード（スクラッチ部分でプリペイド電話番号を隠蔽する方式等）＋ＲＯＭチップの形態で販売する店舗等の場合に、その利用者１に賦与されたユーザーＩＤとパスワードが設定される。
所属部署名は、統括者２が企業等の場合に、その利用者１が所属する部署名を設定する。
利用者１側の取引口座に関する情報は、統括者２が携帯無線電話機１の利用可能時間を販売する店舗等の場合に、販売店舗２側がその利用者１に販売した利用可能時間の販売金額の引き落としを行う為に、その利用者１が開設した取引口座に関する情報が設定される。
割当時間は、統括者２側がその利用者１に割り当てた利用可能時間である。
利用時間は、統括者２側がその利用者１に割り当てた利用可能時間の内、利用者が利用した時間である。
利用残時間は、統括者２側がその利用者１に割り当てた利用可能時間の内、利用者１が利用していない時間である。（割当時間から利用時間を減算した時間）
【００２１】
振替依頼テーブル２３は、利用可能時間を販売委託した事業者１０側（課金管理支援システムの運営機関）や統括者２側（販売店舗）の取引口座から利用可能時間を購入した統括者２側（企業や販売店舗）や利用者１側（販売店舗から購入した利用者）の取引口座へ利用可能時間の対価を振り替える為に、金融コンピュータ３に送信する振替依頼情報を記録するものである。
振替依頼情報には、振替区分と振替年月日とからなる検索キー部と、データ部に属する振替元の取引口座である銀行名・銀行支店名・預金種類・口座番号・口座名義人、振替先の取引口座である銀行名・銀行支店名・預金種類・口座番号・口座名義人、振替金額等の情報を格納する。
振替区分は、振替依頼情報が金融コンピュータ３に送信前の場合は、「未振替」が設定され、送信後の場合は、「振替済」が設定される。
なお、図１にも示したように、課金管理装置１０はコールバックシステムの電話管理サイト６に接続し、通話データの入力を行っている。事業者設備としての海外交換機７は、例えば、ＡＳ５３００（Ｈ３２３によるアナログ／デジタルインターフェースを有するゲートウェイ）等が使用される。
【００２２】
次に、課金管理装置１０の処理手段３０が携帯無線電話機１と統括者端末装置２からの要求信号に応答して、データベース２０の検索を行う処理手順について説明する。図３は、本発明である課金管理装置１０の処理手段３０に於ける処理の流れ図であり、処理手段は、以下の６手段から構成される。
【００２３】
これらは、一括販売手段３１、割当手段３２、小売販売手段３３、追加小売販売手段３４、監視手段３５、振替依頼情報送信手段３６である。
【００２４】
まず、携帯無線電話機１と統括者端末装置２からのユーザーＩＤ、パスワードの入力を受け付けて、ユーザー認証を行い、使用権があればメニュー選択画面をその携帯無線電話機１と統括者端末装置２に送信する。
【００２５】
一括販売手段３１は、統括者端末装置２からの一括販売要求信号に応答し、統括者ＩＤの入力を受け付けて、入力を受け付けた統括者ＩＤよりデータベース２０を検索し、該当する統括者管理情報をその統括者端末装置２に表示し、販売時間の入力を受け付けて、入力を受け付けた販売時間を統括者管理情報の合計販売時間と合計利用残時間とに加算して更新する。
【００２６】
以下に、一括販売手段３１の処理手順を詳細に説明する。
（１）統括者端末装置２からの一括販売要求信号に応答して、使用権のユーザー認証時に入力を受け付けたユーザーＩＤとパスワードにより、統括者管理テーブル２１を検索して該当する統括者管理情報を取得する。
（２）（１）の処理で取得した統括者管理情報が編集されている一括販売・販売時間入力画面を要求のあった統括者端末装置２に送信する。
（３）統括者端末装置２からの販売時間の入力を受け付けて、入力を受け付けた販売時間を（１）の処理で取得した統括者管理情報に設定されている合計販売時間と合計利用残時間とに加算する。
（４）（１）の処理で取得した統括者管理情報と、（３）の処理で入力を受け付けた販売時間と、（３）の処理で加算した合計販売時間と合計利用残時間と、が編集されている一括販売・確認画面を要求のあった統括者端末装置２に送信する。
（５）統括者端末装置２からの確認ＯＫの選択を受け付けて、（３）の処理で加算した合計販売時間と合計利用残時間とを統括者管理情報に設定して統括者管理テーブル２１を更新する。
（６）（１）の処理で取得した統括者管理情報に設定されている取引口座に関する情報を振替元の取引口座に関する情報に設定し、課金管理支援システムの運営機関の取引口座に関する情報を振替先の取引口座に関する情報に設定し、（３）の処理で入力を受け付けた販売時間に所定の単価を乗算した金額を振替金額に設定し、振替依頼情報を作成して振替依頼テーブル２３に登録する。
【００２７】
割当手段３２は、統括者端末装置２からの割当要求信号に応答し、統括者ＩＤの入力を受け付けて、入力を受け付けた統括者ＩＤよりデータベース２０を検索し、該当する統括者管理情報と利用者管理情報とをその統括者端末装置２に表示し、課金ＩＤ毎に携帯無線電話機の割当時間の入力を、割当残時間の範囲内で受け付けて、入力を受け付けた割当時間を統括者管理情報の割当残時間から減算して更新し、又、入力を受け付けた割当時間を利用者管理情報の割当時間と利用残時間とに加算して更新する。
【００２８】
以下に、割当手段３２の処理手順を詳細に説明する。
（１）統括者端末装置２からの割当要求信号に応答して、使用権のユーザー認証時に入力を受け付けたユーザーＩＤとパスワードにより、統括者管理テーブル２１を検索して該当する統括者管理情報を取得する。
（２）（１）の処理で取得した統括者管理情報に設定されている統括者ＩＤより、利用者管理テーブル２２を検索して該当する利用者管理情報を取得する。
（３）（１）の処理で取得した統括管理情報と（２）の処理で取得した利用者管理情報とが編集されている割当・割当時間入力画面を要求のあった統括者端末装置２に送信する。
（４）統括者端末装置２からの（２）の処理で取得した利用者管理情報に設定されている課金ＩＤ毎の割当時間の入力を（１）の処理で取得した統括者管理情報に設定されている割当残時間の範囲内で受け付けて、入力を受け付けた割当時間を（１）の処理で取得した統括者管理情報に設定されている割当残時間から減算する。
（５）（４）の処理で入力を受け付けた割当時間を（２）の処理で取得した利用者管理情報に設定されている割当時間と利用残時間とに加算する。
（６）（１）の処理で取得した統括管理情報と、（２）の処理で取得した利用者管理情報と、（４）の処理で入力を受け付けた割当時間と、（４）の処理で減算した割当残時間と、（４）の処理で加算した割当時間と利用残時間とが編集されている割当・確認画面を要求のあった統括者端末装置２に送信する。
（７）統括者端末装置２からの確認ＯＫの選択を受け付けて、（４）の処理で減算した割当残時間を統計管理情報に設定して統括者管理テーブル２１を更新する。
（８）（５）の処理で加算した割当時間と利用残時間を利用者管理情報に設定して利用者管理テーブル２２を更新する。
【００２９】
小売販売手段３３は、統括者端末装置２からの小売販売要求信号に応答し、課金ＩＤの入力を受け付けて、入力を受け付けた課金ＩＤよりデータベース２０を検索し、該当する統括者管理情報と利用者管理情報とをその統括者端末装置２に表示し、入力を受け付けた課金ＩＤに対する携帯無線電話機１の小売販売時間の入力を、割当残時間の範囲内で受け付けて、入力を受け付けた小売販売時間を統括者管理情報の割当残時間から減算して更新し、又、入力を受け付けた小売販売時間を利用者管理情報の割当時間と利用残時間とに加算して更新する。
【００３０】
以下に、小売販売手段３３の処理手順を詳細に説明する。
（１）統括者端末装置２からの小売販売要求信号に応答して、使用権のユーザー認証時に入力を受け付けたユーザーＩＤとパスワードにより、統括者管理テーブル２１を検索して該当する統括者管理情報を取得する。
（２）（１）の処理で取得した統括者管理情報が編集されている小売販売・課金ＩＤ入力画面を要求のあった統括者端末装置２に送信する。
（３）統括者端末装置２からの課金ＩＤの入力を受け付けて、入力を受け付けた課金ＩＤより、利用者管理テーブル２２を検索して該当する利用者管理情報を取得する。
（４）（１）の処理で取得した統括者管理情報と（３）の処理で取得した利用者管理情報とが編集されている小売販売・小売販売時間入力画面を要求のあった統括者端末装置２に送信する。
（５）統括者端末装置２からの（３）の処理で取得した利用者管理情報に設定されている課金ＩＤの小売販売時間の入力を（１）の処理で取得した統括者管理情報に設定されている割当残時間の範囲内で受け付けて、入力を受け付けた小売販売時間を（１）の処理で取得した統括者管理情報に設定されている割当残時間から減算する。
（６）（５）の処理で入力を受け付けた小売販売時間を（３）の処理で取得した利用者管理情報に設定されている割当時間と利用残時間とに加算する。
（７）（１）の処理で取得した統括管理情報と、（３）の処理で取得した利用者管理情報と、（５）の処理で入力を受け付けた小売販売時間と、（５）の処理で減算した割当残時間と、（６）の処理で加算した割当時間と利用残時間とが編集されている小売販売・確認画面を要求のあった統括者端末装置２に送信する。
（８）統括者端末装置２からの確認ＯＫの選択を受け付けて、（５）の処理で減算した割当残時間を統計管理情報に設定して統括者管理テーブル２１を更新する。
（９）（６）の処理で加算した割当時間と利用残時間を利用者管理情報に設定して利用者管理テーブル２２を更新する。
（１０）（３）の処理で取得した利用者管理情報に設定されている取引口座に関する情報を振替元の取引口座に関する情報に設定し、（１）の処理で取得した統括者管理情報に設定されている取引口座に関する情報を振替先の取引口座に関する情報に設定し、（５）の処理で入力を受け付けた小売販売時間に所定の単価を乗算した金額を振替金額に設定し、振替依頼情報を作成して振替依頼テーブル２３に登録する。
【００３１】
追加小売販売手段３４は、携帯無線電話機１からの追加小売販売要求信号に応答し、課金ＩＤの入力を受け付けて、入力を受け付けた課金ＩＤよりデータベースを検索し、該当する統括者管理情報と利用者管理情報とをその携帯無線電話機１に表示し、入力を受け付けた前記課金ＩＤに属する携帯無線電話機１の追加小売販売時間の入力を、割当残時間の範囲内で受け付けて、入力を受け付けた追加小売販売時間を統括者管理情報の割当残時間から減算して更新し、又、入力を受け付けた追加小売販売時間を利用者管理情報の割当時間と利用残時間とに加算して更新する。
【００３２】
以下に、追加小売販売手段３４の処理手順を詳細に説明する。
（１）携帯無線電話機１からの追加小売販売要求信号に応答して、使用権のユーザー認証時に入力を受け付けたユーザーＩＤとパスワードにより、利用者管理テーブル２２を検索して該当する利用者管理情報を取得する。
（２）（１）の処理で取得した利用者管理情報に設定されている課金ＩＤの上位桁位置の統括者ＩＤより、統括者管理テーブル２１を検索して該当する統括者管理情報を取得する。
（３）（２）の処理で取得した統括者管理情報と（１）の処理で取得した利用者管理情報とが編集されている追加小売販売・追加小売時間入力画面を要求のあった携帯無線電話機１に送信する。
（４）携帯無線電話機１からの追加小売販売時間の入力を（２）の処理で取得した統括者管理情報に設定されている割当残時間の範囲内で受け付けて、入力を受け付けた追加小売販売時間を（２）の処理で取得した統括者管理情報に設定されている割当残時間から減算する。
（５）（４）の処理で入力を受け付けた追加小売販売時間を（１）の処理で取得した利用者管理情報に設定されている割当時間と利用残時間とに加算する。
（６）（２）の処理で取得した統括管理情報と、（１）の処理で取得した利用者管理情報と、（４）の処理で入力を受け付けた追加小売販売時間と、（４）の処理で減算した割当残時間と、（５）の処理で加算した割当時間と利用残時間とが編集されている追加小売販売・確認画面を要求のあった携帯無線電話機１に送信する。
（７）携帯無線電話機１からの確認ＯＫの選択を受け付けて、（４）の処理で減算した割当残時間を統計管理情報に設定して統括者管理テーブル２１を更新する。
（８）（５）の処理で加算した割当時間と利用残時間を利用者管理情報に設定して利用者管理テーブル２２を更新する。
（９）（１）の処理で取得した利用者管理情報に設定されている取引口座に関する情報を振替元の取引口座に関する情報に設定し、（２）の処理で取得した統括者管理情報に設定されている取引口座に関する情報を振替先の取引口座に関する情報に設定し、（４）の処理で入力を受け付けた追加小売販売時間に所定の単価を乗算した金額を振替金額に設定し、振替依頼情報を作成して振替依頼テーブル２３に登録する。
【００３３】
監視手段３５は、携帯無線電話機１からの利用開始要求信号に応答し、記録媒体より課金ＩＤの入力を受け付けて、入力を受け付けた課金ＩＤよりデータベース２０を検索し、該当する統括者管理情報と利用者管理情報とを取得し、携帯無線電話機１の利用開始日時を起点とした利用時間を所定の経過時間毎に計測して、統括者管理情報の合計利用時間と利用者管理情報の利用時間とに計測した利用時間をそれぞれ加算して更新し、又、統括者管理情報の合計利用残時間と利用者管理情報の利用残時間より計測した利用時間をそれぞれ減算して更新すると共に、更新した合計利用残時間と利用残時間とを監視して、利用残時間がゼロに達した際に、携帯無線電話機１の利用を中断する。
【００３４】
以下に、監視手段３５の処理手順を詳細に説明する。
（１）携帯無線電話機１からの利用開始要求信号に応答して、携帯無線電話機１に装着されているＲＯＭチップより課金ＩＤを取得し、取得した課金ＩＤの上位桁位置の統括者ＩＤより、統括者管理テーブル２１を検索して該当する統括者管理情報を取得する。
（２）（１）の処理で取得した課金ＩＤより、利用者管理テーブル２２を検索して該当する利用者管理情報を取得する。
（３）（２）の処理で取得した利用者管理情報に設定されている利用残時間が編集されている監視・利用残間通知画面を要求のあった携帯無線電話機１に送信する。
（４）利用開始日時であるシステム日付とシステム時刻を取得して、その利用開始日時を起点とした利用時間を計測し、「１分」経過毎に、（２）の処理で取得した利用者管理情報に設定されている利用残時間から「１分」を減算し、利用時間に「１分」を加算して利用者管理テーブル２２を更新する。
（５）（１）の処理で取得した統括者管理情報に設定されている合計利用残時間から「１分」を減算し、合計利用時間に「１分」を加算して統括者管理テーブル２１を更新する。
（６）（４）の処理で減算した利用残時間がゼロに達した場合は、処理を終了し、携帯無線電話機１の利用を中断する。
【００３５】
振替依頼情報送信手段３６は、所定の期日に振替依頼情報を金融コンピュータ３へ送信する。
【００３６】
以下に、振替依頼情報送信手段３６の処理手順を詳細に説明する。
（１）振替依頼情報送信手段３６は、課金管理装置１０の電源投入時に自動起動され、所定の期日が到来する迄ウエイトする。
（２）ウエイト解除後、振替依頼テーブル２３を検索して振替区分に「未振替」が設定され、振替年月に所定の年月が設定されている振替依頼情報を対象に取得する。
（３）取得した振替依頼情報を金融コンピュータ３へ送信する。
（４）（２）の処理で取得した振替依頼情報の振替区分に「振替済」を設定して振替依頼テーブル２３を更新する。
【００３７】
以上、本発明の一実施の形態を詳細に説明したが、本発明は、本実施の形態に限られるものではない。本発明の技術的範囲から逸脱しない範囲内で多様に変更実施することが可能である。
【産業上の利用可能性】
【００３８】
本発明は、海外交換機、キャリアを介したコールバック方式の低料金通話システムを利用できる携帯無線電話機の代金前払い方式にて販売する利用時間の課金管理を支援するシステムに於いて、販売した利用時間の統括者（ＡＳＰ）側に対して、その課金ＩＤ毎の利用時間を管理するシステムに適用できる。
【図面の簡単な説明】
【００３９】
【図１】本発明の携帯無線電話機に於ける課金管理支援システムの構成図である。
【図２】図１に示す課金管理装置の詳細図である。
【図３】図２に示す課金管理装置の処理手段に於ける処理の流れ図である。
【符号の説明】
【００４０】
１  携帯無線電話機
２  統括者端末装置
３  金融コンピュータ
４  インターネット網
５  モバイル画面
６  電話管理サイト
７  海外交換機
８  要求元電話
１０  課金管理装置
１１  Ｗｅｂサーバー
１２  データベースサーバー
１３  アプリケーションサーバー
２０  データベース
２１  統括者管理テーブル
２２  利用者管理テーブル
２３  振替依頼テーブル
３０  処理手段
３１  一括販売手段
３２  割当手段
３３  小売販売手段
３４  追加小売販売手段
３５  監視手段
３６  振替依頼情報送信手段
１００  携帯無線電話機に於ける課金管理支援システム
【図１】
2005064754.tif 000003
【図２】
2005064754.tif 000004
【図３】
2005064754.tif 000005